(57)【特許請求の範囲】
【請求項１】
パチンコ機の遊技盤に釘状のレールピンで固定されたレールの傾き角度を調整するためのレール角度調整具であって、
棒状をなす本体の先端部に、前記レールに外嵌可能なスリットを設けてなり、
前記スリットを挟んで対向する両側の先端部のうち一方側の先端部は、その先端の中央部分が切り欠かれたことを特徴とするパチンコ機用レール角度調整具。
【請求項２】
前記スリットを挟んで対向する両側の先端部のうち少なくとも一方は、厚みが５ｍｍ以下であることを特徴とする請求項１に記載のパチンコ機用レール角度調整具。
【請求項３】
前記本体は、金属からなり、前記本体の前記先端部に弾性体が設けられたことを特徴とする請求項１又は２に記載のパチンコ機用レール角度調整具。
【発明の詳細な説明】
【技術分野】
【０００１】
本発明はパチンコ機の遊技盤に固定されたレールの傾き角度を調整するレール角度調整
具に関する。
【背景技術】
【０００２】
一般に、遊技機の一種として、所定の遊技領域を有する遊技盤を備えたパチンコ機が知
られている。図１４は、パチンコ機の遊技盤の従来例を示す斜視図である。遊技盤の前面
には、図１４に示すように、略円弧状をなすように内レールが取付けられると共に、内レ
ールに対し外周側に所定間隔を隔てて外レールが取付けられている。これら内レール及び
外レールは、遊技球発射ハンドルの回動操作に基づき発射装置から発射された遊技球を遊
技盤上部へ案内する発射路としての役割を主として果たすものである。特に、外レールは
、発射装置から発射された遊技球を内側面で直接誘導するため、傾き角度を正確に調整す
る必要がある。
【０００３】
そして、従来、外レールの傾き角度の調整には、一般的にペンチが使用されている。こ
こで、図１５は、ペンチを用いて外レールの傾き角度を調整する方法を示す説明図である
。ペンチを遊技盤の外レールに近づけ（図１５（ａ）参照）、先端部で外レールを挟み、
内側又は外側（矢印方向）へ倒すことにより（図１５（ｂ）参照）、外レールの傾き角度
を調整する。
一方、遊技盤に釘状のピンで固定されたレールの一端部の傾き角度の調整を容易化する
ための治具として、従来、帯板状の把持体の端部に支点となる突起と作用点となる突起と
をパチンコ機の遊技盤に釘で固定されたレールの一端部の上下に係留し得る間隔を以って
備えた調整具が提案されている（例えば、特許文献１等参照。）。
【先行技術文献】
【特許文献】
【０００４】
【特許文献１】特開２００４−１６６５５号公報
【発明の概要】
【発明が解決しようとする課題】
【０００５】
しかしながら、ペンチを使用してレールの傾き角度を調整する方法では、作業者がペン
チの先端で正確にレールを挟まなければならず、作業効率が悪いという問題がある。また
、ペンチの先端でレールを挟んだ状態を保持するために、作業者は、把持部を手で強く握
らなければならず、手が疲労しやすいという問題もある。さらに、外レールの外側近傍に
電飾等の役物が配置されていたり、外レールと壁とが近接している場合には、外レールと
役物等との隙間が狭いために、ペンチの先端で外レールを挟むことができない場合がある
という問題もある。ここで、図１６は、外レールの近傍に役物が配置されている場合にペ
ンチの先端で外レールを挟めない例を示している。
【０００６】
一方、特許文献１に記載された従来技術の調整具は、レールの端部に釘状のピンが取付
けられている場合のみを想定した治具であり、レールの端部以外に釘が取付けられている
場合には使用できないという問題がある。
【０００７】
本発明は上述した問題点に鑑みてなされたものであり、解決しようとする課題は、パチ
ンコ機の遊技盤に固定されたレールの傾き角度を容易且つ確実に調整することが可能なパ
チンコ機用レール角度調整具を提供することである。
【課題を解決するための手段】
【０００８】
以下、上記課題を解決するのに適した各手段につき、必要に応じて作用効果等を付記し
つつ説明する。
【０００９】
１．パチンコ機の遊技盤に釘状のレールピンで固定されたレールの傾き角度を調整する
ためのレール角度調整具であって、
棒状をなす本体の先端部に、前記レールに外嵌可能なスリットを設けてなることを特徴
とするパチンコ機用レール角度調整具。
【００１０】
手段１によれば、棒状をなす本体の先端部に、パチンコ機の遊技盤に釘状のレールピン
で固定されたレールに外嵌可能なスリットを設けてなるので、レールの傾き角度を調整し
ようとする部分にスリットを外嵌し、本体をレールの内側又は外側へ倒すことにより、遊
技盤に対するレールの傾き角度を簡単且つ効率的に調整することができる。また、ペンチ
を用いてレールの傾き角度の調整を行う従来方法とは異なり、レールを挟むための操作を
する必要がないので、作業に伴う疲労が少ないという利点がある。また、本体のスリット
内壁でレールを直接保持して傾き角度の調整を行うので、レールの端部に取付けられたレ
ールピンの傾き角度だけでなく、レールの端部以外に取付けられたレールピン及び当該部
分のレールの傾き角度も調整することができる。
【００１１】
２．前記スリットを挟んで対向する両側の先端部のうち一方側の先端部は、他方側の先
端部よりも長さが短く設定されたことを特徴とする手段１に記載のパチンコ機用レール角
度調整具。
【００１２】
手段２によれば、スリットを挟んで対向する両側の先端部のうち一方側の先端部は、他
方側の先端部よりも長さが短く設定されているので、レールのレールピンが取付けられた
箇所にスリットを外嵌する際に、スリット内壁とレールピンとの干渉が確実に回避される
。よって、スリットを奥までレールに外嵌して本体をレールの内側又は外側へ倒すことに
より、遊技盤に対するレールの傾き角度を確実に調整することができる。
【００１３】
３．前記スリットを最奥部まで前記レールに外嵌した状態で、前記一方側の先端部が前
記レールピンの前記遊技盤における露出部分に当接しないように、前記一方側の先端部の
長さが設定されたことを特徴とする手段２に記載のパチンコ機用レール角度調整具。
【００１４】
手段３によれば、スリットを最奥部までレールに外嵌した状態で、一方側の先端部がレ
ールピンの遊技盤における露出部分に当接しないように、一方側の先端部の長さが設定さ
れているので、レールのレールピンが取付けられた箇所にスリットを外嵌する際に、スリ
ット内壁とレールピンとの干渉が確実に回避される。
【００１５】
４．前記一方側の先端部は、長さが２ｍｍ以上１２ｍｍ以下であることを特徴とする手
段２又は３に記載のパチンコ機用レール角度調整具。
【００１６】
手段４によれば、一方側の先端部は、長さが１２ｍｍ以下であるので、レールのレール
ピンが取付けられた箇所にスリットを外嵌する際に、スリット内壁とレールピンとの干渉
が確実に回避される。また、一方側の先端部は、長さが２ｍｍ以上であるので、レールを
両側の先端部で確実に保持することができる。
【００１７】
５．前記一方側の先端部は、長さが２ｍｍ以上５ｍｍ以下であることを特徴とする手段
４に記載のパチンコ機用レール角度調整具。
【００１８】
手段５によれば、一方側の先端部は、長さが５ｍｍ以下であるので、例えば、遊技盤に
おいてレールが外側の壁部や役物に近接している場合に、一方側の先端部を外側となるよ
うにしてスリットをレールに外嵌することにより、壁部等との干渉を回避することができ
る。
【００１９】
６．前記スリットを挟んで対向する両側の先端部のうち一方側の先端部は、その先端の
中央部分が切り欠かれたことを特徴とする手段１に記載のパチンコ機用レール角度調整具
。
【００２０】
手段６によれば、スリットを挟んで対向する両側の先端部のうち一方側の先端部は、そ
の先端の中央部分が切り欠かれているので、スリットを挟む両側の先端部の長さを同一と
した場合でも、レールのレールピンが取付けられた箇所にスリットを外嵌する際に、本体
の先端部中央をレールピンの位置に合わせることにより、スリット内壁とレールピンとの
干渉が確実に回避される。
【００２１】
７．前記スリットを最奥部まで前記レールに外嵌した状態で、前記一方側の先端部が前
記レールピンの前記遊技盤における露出部分に当接しないように、前記切り欠き部分の長
さが設定されたことを特徴とする手段６に記載のパチンコ機用レール角度調整具。
【００２２】
手段７によれば、スリットを最奥部までレールに外嵌した状態で、一方側の先端部がレ
ールピンの遊技盤における露出部分に当接しないように、切り欠き部分の長さが設定され
ているので、レールのレールピンが取付けられた箇所にスリットを外嵌する際に、スリッ
ト内壁とレールピンとの干渉が確実に回避される。
【００２３】
８．前記先端部の先端面から前記スリットの最奥部までの長さが前記レールの幅未満で
あることを特徴とする手段１乃至７のいずれかに記載のパチンコ機用レール角度調整具。
【００２４】
手段８によれば、先端部の先端面からスリットの最奥部までの長さがレールの幅未満で
あるので、スリットを最奥部までレールに外嵌しても本体の先端部が遊技盤表面に到達す
ることがなく、遊技盤を誤って傷つけることを防止することができる。
【００２５】
９．前記スリットの深さが前記レールの幅の半分以上であることを特徴とする手段１乃
至８のいずれかに記載のパチンコ機用レール角度調整具。
【００２６】
手段９によれば、スリットの深さがレールの幅の半分以上であるので、スリットを最奥
部までレールに外嵌することによりレールを確実に保持することができ、本体をレールの
内側又は外側へ倒すことにより、遊技盤に対するレールの傾き角度を確実に調整すること
ができる。
【００２７】
１０．前記本体は、断面矩形状の棒状体であることを特徴とする手段１乃至９のいずれ
かに記載のパチンコ機用レール角度調整具。
【００２８】
手段１０によれば、本体が断面矩形状の棒状体であるので、スリットを挟んで対向する
両側の先端部がレール近傍の部材との干渉が少ない薄板状となり、スリットを容易にレー
ルに外嵌することができる。
【００２９】
１１．前記スリットを挟んで対向する両側の先端部のうち少なくとも一方は、厚みが５
ｍｍ以下であることを特徴とする手段１乃至１０のいずれかに記載のパチンコ機用レール
角度調整具。
【００３０】
手段１１によれば、スリットを挟んで対向する両側の先端部のうち少なくとも一方は、
厚みが５ｍｍ以下であるので、レール近傍の部材との干渉が少なく、スリットを容易にレ
ールに外嵌することができる。
【００３１】
１２．前記スリットを挟んで対向する両側の先端部のうち少なくとも一方は、厚みが３
ｍｍ以下であることを特徴とする手段１１に記載のパチンコ機用レール角度調整具。
【００３２】
手段１２によれば、スリットを挟んで対向する両側の先端部のうち少なくとも一方は、
厚みが３ｍｍ以下であるので、レール近傍の部材との干渉が極めて少なくなり、スリット
を容易にレールに外嵌することができる。例えば、遊技盤上の外レールの外側に近接して
電飾等の役物が配置されている場合でも、厚みが３ｍｍ以下の先端部を外レールの外側に
向けることにより、本体先端部と役物とが干渉することなくスリットを外レールに外嵌す
ることができる。
【００３３】
１３．前記スリットの幅は、前記レールの厚みよりも所定値以上大きく設定されたこと
を特徴とする手段１乃至１２のいずれかに記載のパチンコ機用レール角度調整具。
【００３４】
手段１３によれば、スリットの幅は、レールの厚みよりも所定値以上大きく設定されて
いるので、スリットをレールに外嵌した場合にスリット内壁とレールとの間に所定値以上
の遊びが確保され、略円弧状をなすように遊技盤に取付けられたレールにスリットを円滑
に外嵌することができると共に、スリット内壁によってレールが傷つくことを防止するこ
とができる。
【００３５】
１４．前記所定値は、０．２ｍｍ以上０．６ｍｍ以下であることを特徴とする手段１３
に記載のパチンコ機用レール角度調整具。
【００３６】
手段１４によれば、スリット内壁とレールとの間に０．２ｍｍ以上０．６ｍｍ以下の遊
びが確保されるので、略円弧状をなすように遊技盤に取付けられたレールにスリットを円
滑に外嵌することができると共に、スリット内壁によってレールが傷つくことを防止する
ことができる。
【００３７】
１５．前記本体は、金属からなることを特徴とする手段１乃至１４のいずれかに記載の
パチンコ機用レール角度調整具。
【００３８】
手段１５によれば、本体が剛性に優れた金属からなるので、スリット内壁でレールを保
持して本体をレールの内側又は外側へ倒すことにより、遊技盤に対するレールの傾き角度
を確実に調整することができる。
【００３９】
１６．前記本体は、ステンレス鋼からなることを特徴とする手段１５に記載のパチンコ
機用レール角度調整具。
【００４０】
手段１６によれば、本体が耐食性に優れたステンレス鋼からなるので、錆等でレールを
傷つけたり汚すことがなく、長期に亘る使用も可能である。
【００４１】
１７．前記本体の前記先端部に弾性体が設けられたことを特徴とする手段１乃至１６の
いずれかに記載のパチンコ機用レール角度調整具。
【００４２】
手段１７によれば、本体の先端部にゴム等の弾性体が設けられているので、先端部が遊
技盤の表面に当接しても、遊技盤を傷付けることがない。
【００４３】
１８．前記本体の基端側に手で把持するための取っ手が設けられたことを特徴とする手
段１乃至１７のいずれかに記載のパチンコ機用レール角度調整具。
【００４４】
手段１８によれば、本体の基端側に手で把持するための取っ手が設けられているので、
作業者は取っ手を把持してレールの傾き角度を調整する作業を容易に行うことができる。
【００４５】
１９．前記取っ手は、基端部が丸みを帯びた形状に形成されたことを特徴とする手段１
８に記載のパチンコ機用レール角度調整具。
【００４６】
手段１９によれば、取っ手の基端部が丸みを帯びた形状に形成されているので、作業者
は取っ手を容易に把持することができる。
【００４７】
２０．前記取っ手は、基端部に径方向へ突出する複数の突出部が設けられたことを特徴
とする手段１８に記載のパチンコ機用レール角度調整具。
【００４８】
手段２０によれば、取っ手の基端部に径方向へ突出する複数の突出部が設けられている
ので、作業台上で調整具を起立させることができると共に、転がりを防止することができ
る。
【００４９】
２１．前記本体の前記先端部は、前記取っ手と同一直線上に設けられたことを特徴とす
る手段１８乃至２０のいずれかに記載のパチンコ機用レール角度調整具。
【００５０】
手段２１によれば、本体の先端部が取っ手と同一直線上に設けられているので、レール
の外側又は内側のいずれの方向へ倒す場合にも、向きを気にすることなく取っ手を把持し
て作業することができる。
【００５１】
２２．前記本体の前記先端部は、前記取っ手に対して所定角度で傾斜して設けられたこ
とを特徴とする手段１８乃至２０のいずれかに記載のパチンコ機用レール角度調整具。
【００５２】
手段２２によれば、本体の先端部が取っ手に対して所定角度で傾斜して設けられている
ので、スリットをレールに外嵌してレールの外側又は内側へ倒す作業をより容易に行うこ
とができる。
【００５３】
２３．前記本体は、前記取っ手に対して着脱可能に構成されたことを特徴とする手段１
８乃至２２のいずれかに記載のパチンコ機用レール角度調整具。
【００５４】
手段２３によれば、本体が取っ手に対して着脱可能に構成されているので、例えば、先
端部の形状や角度の異なる複数種類の本体を用意しておき、傾き角度を調整したいレール
の部位に応じて本体を交換して用いることにより作業性を向上させることができる。
【００５５】
２４．前記取っ手は、合成樹脂によって構成されたことを特徴とする手段１８乃至２３
のいずれかに記載のパチンコ機用レール角度調整具。
【００５６】
手段２４によれば、取っ手が合成樹脂によって構成されているので、手で把持しやすい
形状及び大きさに容易に形成可能であり且つ軽量とすることができる。
【発明の効果】
【００５７】
本発明によれば、棒状をなす本体の先端部に、パチンコ機の遊技盤に釘状のレールピン
で固定されたレールに外嵌可能なスリットを設けてなるので、レールの傾き角度を調整し
ようとする部分にスリットを外嵌し、本体をレールの内側又は外側へ倒すことにより、遊
技盤に対するレールの傾き角度を簡単且つ効率的に調整することができる。また、ペンチ
を用いてレールの傾き角度の調整を行う従来方法とは異なり、レールを挟むための操作を
する必要がないので、作業に伴う疲労が少ないという利点がある。また、本体のスリット
内壁でレールを直接保持して傾き角度の調整を行うので、レールの端部に取付けられたレ
ールピンの傾き角度だけでなく、レールの端部以外に取付けられたレールピン及び当該部
分のレールの傾き角度も調整することができる。
【図面の簡単な説明】
【００５８】
【図１】本発明の実施形態のパチンコ機用レール角度調整具を示す斜視図である。
【図２】レール角度調整具の本体と取っ手とを分離して示す分解斜視図である。
【図３】（ａ）は本体の先端部を拡大して示す側面図であり、（ｂ）は（ａ）におけるＡ１線矢視図である。
【図４】パチンコ機においてガラス扉枠を開放した状態における前面枠、遊技盤等を示す正面図である。
【図５】遊技盤に取付けられた外レールの一部を側面視して示す図である。
【図６】（ａ）は遊技盤に取付けられた外レールを拡大して示す図であり、（ｂ）は（ａ）におけるＡ２線矢視図である。
【図７】（ａ）はレール角度調整具を遊技盤の外レールへ近づける様子を示す斜視図であり、（ｂ）は本体先端部のスリットを外レールに外嵌した状態を示す斜視図である。
【図８】（ａ）はレール角度調整具を遊技盤の外レールへ近づける様子を示す拡大側面図であり、（ｂ）は本体先端部のスリットを外レールに外嵌した状態を示す拡大側面図であり、（ｃ）は外レールに近接して役物が配置されている場合における（ｂ）に相当する図である。
【図９】（ａ）は第一変形例における本体の先端部を拡大して示す側面図であり、（ｂ）は（ａ）におけるＡ３線矢視図である。
【図１０】（ａ）は第二変形例における本体の先端部を拡大して示す側面図であり、（ｂ）は（ａ）におけるＡ４線矢視図である。
【図１１】（ａ）は第三変形例における取っ手を示す側面図であり、（ｂ）は（ａ）におけるＡ５線矢視図であり、（ｃ）は作業台上に起立させた様子を示す図である。
【図１２】（ａ）は第四変形例のレール角度調整具を示す側面図であり、（ｂ）は本体先端部のスリットを外レールに外嵌した状態を示す側面図である。
【図１３】（ａ）は第五変形例のレール角度調整具の本体の先端部を拡大して示す側面図であり、（ｂ）は外レールの極近傍に配置された遊技盤において本体先端部のスリットを外レールに外嵌した状態を示す図である。
【図１４】パチンコ機の遊技盤の従来例を示す斜視図である。
【図１５】ペンチを用いて外レールの傾き角度を調整する方法を示す説明図であり、（ａ）はペンチを遊技盤の外レールに近づける様子を、（ｂ）はペンチの先端で外レールを挟んだ様子をそれぞれ示している。
【図１６】外レールの極近傍に役物が配置されている場合にペンチの先端で外レールを挟めない例を示す図である。
【発明を実施するための最良の形態】
【００５９】
以下、本発明のパチンコ機用レール角度調整具を具体化した一実施形態について、図面
を参照しつつ説明する。
図１は、パチンコ機用レール角度調整具（以下、レール角度調整具と称する）１を示す
斜視図である。図２は、レール角度調整具１の本体１０と取っ手２０とを分離して示す分
解斜視図である。図３（ａ）は、本体１０の先端部１１を拡大して示す側面図であり、（
ｂ）は（ａ）におけるＡ１線矢視図である。
【００６０】
レール角度調整具１は、図１に示すように、金属製の調整具本体１０と、合成樹脂製の
取っ手２０とから構成される。
【００６１】
本体１０は、ステンレス鋼等の金属からなる断面矩形状の棒状体であり、レール角度調
整具１の主要部を構成する。
【００６２】
本体１０の先端部１１には、幅方向（横断面長手方向）にスリット１１ａが形成されて
おり、スリット１１ａを挟んで第１先端部１１ｂと第２先端部１１ｃとが対向している。
また、第２先端部１１ｃは、第１先端部１１ｂよりも長さが短く設定され、先端部１１に
は、第１先端部１１ｂと第２先端部１１ｃとにより段差形状が形成される。尚、第２先端
部１１ｃが、本発明の一方側の先端部を、第１先端部１１ｂが他方側の先端部をそれぞれ
構成するものである。
【００６３】
一方、本体１０の基端側には、図２に示すように、取っ手２０への取付け部分である取
付部１２が一体的に設けられている。取付部１２は、本体１０の他の部分の半分程度の厚
みとなっている。
【００６４】
取っ手２０は、作業者の手によって把持される部材であり、合成樹脂の成型により略円
柱状に作製されたものである。取っ手２０は、図２に示すように、先端側の端面に開口す
る取付け孔２０ａを有し、本体１０の取付部１２が取付け孔２０ａに挿入されて接着剤に
より固定される。また、取っ手２０の基端部は、手で握りやすいように丸みを帯びた形状
に成形されている。
【００６５】
ここで、本体１０の先端部１１各部の寸法について、図３を参照しつつ説明する。第１
先端部１１ｂの先端面１１ｄからスリット１１ａの最奥部１１ｅまでの長さ（以下、第１
先端部１１ｂの長さと称する）Ｌ１は１４ｍｍである。また、第２先端部１１ｃの先端面
１１ｆからスリット１１ａの最奥部１１ｅまでの長さ（以下、第２先端部１１ｃの長さと
称する）Ｌ２は１１ｍｍである。すなわち、第２先端部１１ｃの長さＬ２は、第１先端部
１１ｂの長さＬ１よりも３ｍｍ短い（Ｌ１−Ｌ２＝３ｍｍ）。第１先端部１１ｂの厚みＴ
１は３ｍｍであり、第２先端部１１ｃの厚みＴ２は４ｍｍである。また、スリット１１ａ
の幅ＷＳは１ｍｍに設定されている。尚、本体１０の長さは１５０ｍｍ、その内、取付部
１２の長さは５０ｍｍであり、本体１０の幅は１５ｍｍである。
【００６６】
次に、レール角度調整具１によってレールの傾き角度が調整されるパチンコ機１０１の
概略構成について、図４を参照しつつ説明する。
【００６７】
図４に示すように、パチンコ機１０１は、外枠１０２と、その外枠１０２の前部に設け
られ外枠１０２の一側部にて開閉可能に支持された前面枠１０３とを備えている。外枠１
０２は、パチンコ機１０１のベースとなる枠であり、木製の板材により全体として矩形状
に構成されている。また、前面枠１０３は合成樹脂、具体的にはＡＢＳ（アクリロニトリ
ル−ブタジエン−スチレン）樹脂により構成されている。前面枠１０３の開閉軸線はパチ
ンコ機１０１の正面から見て左側に上下に延びるように設定されている。
【００６８】
前面枠１０３には、下受皿ユニット１５１を除く前面枠１０３の前面側を覆うように、
扉枠としての図示しないガラス扉枠が開閉自在に設けられている。また、ガラス扉枠の開
閉軸線（軸支部）もパチンコ機１０１の正面から見て左側に上下に延びるように設定され
ている。図４に示すように、前面枠１０３の正面から見て左側の上端部付近には回動軸が
嵌め込まれる軸受部１９２が設けられている。また、軸受部１９２の下方には、上方に突
出する突回動軸１９３が設けられ、ガラス扉枠の下側面には、回動軸１９１の下方位置に
おいて、突回動軸１９３を嵌め込むための図示しない軸受凹部が設けられている。そして
、突回動軸１９３を軸受凹部に嵌め込み、回動軸１９１を軸受部１９２に嵌め込むことに
よって、ガラス扉枠が軸支され開閉可能となる。
【００６９】
前面枠１０３の後側（外枠１０２の内側）には、遊技盤１０５が着脱可能に装着されて
いる。なお、遊技盤１０５は、その周縁部が前面枠１０３の裏側に当接した状態で取り付
けられており、図４では、遊技盤１０５の前面部の略中央部分だけが前面枠１０３の前面
側に露出した状態となっている。また、遊技盤１０５には、ルータ加工が施されることに
よって複数の開口部が形成されており、各開口部には、普通入賞チャッカー１０６、可変
入賞装置１０７、作動チャッカー１０８、可変表示装置１０９、スルーチャッカー１１０
等が配設されている。可変表示装置１０９は、液晶表示部と、当該液晶表示部の周囲に配
設されたセンターフレームと、液晶表示部における表示制御を実行するための表示制御基
板とを備えている。尚、表示制御基板を含む各種の制御基板は、遊技盤１０５の背面側に
設けた制御基板ボックスに収納されている。また、遊技盤１０５には、遊技球Ｂの落下方
向を適宜分散、調整等するために多数の釘が植設されているとともに、風車等の各種部材
（役物）が配設されている。
【００７０】
さて、前面枠１０３は、外形が前記外枠２とほぼ同一形状をなす樹脂ベース１１１と、
この樹脂ベース１１１の最内周側に位置し略円弧状をなすよう遊技盤１０５に取付けられ
た内レール１１２と、主として図の左側の内レール１１２に対し所定間隔を隔てて遊技盤
１０５に取付けられた外レール１１３とを備えている。これら内レール１１２及び外レー
ル１１３は、ステンレス鋼製の帯状部材であり、遊技球発射ハンドル１５２の回動操作に
基づき発射装置から発射された遊技球Ｂを遊技盤１０５上部へ案内する発射路としての役
割を主として果たすものである。従って、内レール１１２と外レール１１３とが並行する
部分（向かって左側の部分）によって、誘導レールが構成されることとなる。
【００７１】
内レール１１２の下端部付近において、遊技盤１０５には遊技球Ｂを導出するアウト口
１２５が形成されている。そして、遊技盤１０５の下部に落下した遊技球の多くは、この
アウト口１２５を通って図示しない球排出路の方へと案内されるようになっている。
【００７２】
このような構成の下、前面枠１０３の内周側の窓孔によって主として遊技領域の外延が
確定されており、前面枠１０３に対し遊技盤１０５が装着された状態にあっては、内レー
ル１１２及び外レール１１３が遊技盤１０５に当接又は近接した状態となる。そして、遊
技球発射装置により発射された遊技球Ｂは、主として外レール１１３によって遊技盤５の
上部へと案内される。尚、本実施形態のレール角度調整具１によって傾き角度の調整が行
われるのは主として外レール１１３であるので、以下の説明では、単にレール１１３とも
記することとする。
【００７３】
次に、レール１１３の遊技盤１０５への取付け状態について、図５及び図６を参照しつ
つ説明する。図５は、遊技盤１０５に取付けられたレール１１３の一部を側面視して示す
図である。図６（ａ）は、遊技盤１０５に取付けられたレール１１３を拡大して示す図で
あり、（ｂ）は（ａ）におけるＡ２線矢視図である。
【００７４】
レール１１３には、図５に示すように、釘状のレールピン１１４が所定間隔で複数本取
付けられており、レールピン１１４の先端を遊技盤１０５に打ち込むことによって、レー
ル１１３が遊技盤１０５に対して取付け固定されている。尚、レール１１３の幅（高さ）
ＷＲは１６ｍｍ、厚みＴＲは０．７ｍｍであり、レール１１３下部に取付けられたレール
ピン１１４の遊技盤１０５における露出部分の高さＨＰは３ｍｍである（図６参照）。
【００７５】
従って、レール角度調整具１の第１先端部１１ｂの長さＬ１（１４ｍｍ）は、レール１
３の幅ＷＲ（１６ｍｍ）よりも小さく、スリット１１ａの最奥部１１ｅまで外レール１１
３に外嵌しても第１先端部１１ｂの先端面１１ｄは遊技盤１０５に当接しない。また、第
２先端部１１ｃの長さＬ２は１１ｍｍであり、第２先端部１１ｃの先端面は遊技盤１０５
表面から５ｍｍ離れているので、レールピン１１４の遊技盤１０５における露出部分（Ｈ
Ｐ＝３ｍｍ）には達しない。また、スリット１１ａの幅ＷＳ（１ｍｍ）は、レール１１３
の厚みＴＲ（０．７ｍｍ）よりも０．３ｍｍ大きいので、スリット１１ａをレール１１３
に外嵌した時に０．３ｍｍの遊びが確保される。
【００７６】
次に、レール角度調整具１の使用方法について、図７及び図８を参照しつつ説明する。
図７（ａ）はレール角度調整具１を遊技盤１０５の外レール１１３へ近づける様子を示す
斜視図であり、（ｂ）は本体先端部１１のスリット１１ａを外レール１１３に外嵌した状
態を示す斜視図である。図８（ａ）は、レール角度調整具１を遊技盤１０５の外レール１
１３へ近づける様子を示す拡大側面図であり、（ｂ）は本体先端部１１のスリット１１ａ
を外レール１１３に外嵌した状態を示す拡大側面図であり、（ｃ）は外レール１１３に近
接して役物が配置されている場合における（ｂ）に相当する図である。
【００７７】
作業者はレール角度調整具１の取っ手２０を手で持ち、第１先端部１１ｂが遊技盤１０
５にレールピン１１４で固定されたレール１１３の外側に、第２先端部１１ｃがレール１
１３の内側にそれぞれ位置するようにしてレール１１３に近づけ（図７（ａ）、図８（ａ
）参照）、第１先端部１１ｂと第２先端部１１ｃとの間に形成されたスリット１１ａをレ
ール１１３の傾き角度を調整したい部分（レールピン１１４近傍）に外嵌する（図７（ｂ
）、図８（ｂ）参照）。そして、レール１１３の一部分を内側（遊技盤１０５における内
レール１１２側）に倒す場合、作業者がレール角度調整具１の取っ手２０に、図７（ｂ）
又は図８（ｂ）の矢印Ｘ１で示す向きに力を与えることによって、レール角度調整具１が
レール１１３の当該部分を内側に傾けることができる。
【００７８】
一方、レール１１３の一部分を外側（遊技盤１０５における内レール１１２とは反対側
）に倒す場合作業者がレール角度調整具１の取っ手２０に、図７（ｂ）又は図８（ｂ）の
矢印Ｘ２で示す向きに力を与えることによって、レール角度調整具１がレール１１３の当
該部分を外側に傾けることができる。
【００７９】
尚、図８（ｃ）に示すように、レール１１３の外側近傍に役物が配置されている場合で
も、第１先端部１１ｂの厚みＴ１が薄いので（３ｍｍ）、第１先端部１１ｂが役物に干渉
することがなく、スリット１１ａをレール１１３に外嵌して、Ｘ１又はＸ２方向へ倒すこ
とにより、レール１１３の傾き角度を調整することができる。
【００８０】
以上詳述したことから明らかなように、本実施形態のレール角度調整具１によれば、棒
状をなす本体１０の先端部１１に、パチンコ機１０１の遊技盤１０５に釘状のレールピン
１１４で固定されたレール１１３に外嵌可能なスリット１１ａを設けてなるので、レール
１１３の傾き角度を調整しようとする部分にスリット１１ａを外嵌し、本体１０をレール
１１３の内側又は外側へ倒すことにより、遊技盤１０５に対するレール１１３の傾き角度
を簡単且つ効率的に調整することができる。また、ペンチを用いてレール１１３の傾き角
度の調整を行う従来方法とは異なり、レール１１３を挟むための操作をする必要がないの
で、作業に伴う疲労が少ないという利点がある。また、本体１０のスリット１１ａ内壁で
レール１１３を直接保持して傾き角度の調整を行うので、レール１１３の端部に取付けら
れたレールピン１１４の傾き角度だけでなく、レール１１３の端部以外に取付けられたレ
ールピン１１４及び当該部分のレール１１３の傾き角度も調整することができる。
【００８１】
また、スリット１１ａを最奥部までレール１１３に外嵌した状態で、第２先端部１１ｃ
がレールピン１１４の遊技盤１０５における露出部分に当接しないように、第２先端部１
１ｃの長さが第１先端部１１ｂよりも短く設定されているので、レール１１３のレールピ
ン１１４が取付けられた箇所にスリット１１ａを外嵌する際に、スリット１１ａ内壁とレ
ールピン１１４との干渉が確実に回避される。よって、スリット１１ａを奥までレール１
１３に外嵌して本体１０をレール１１３の内側又は外側へ倒すことにより、遊技盤１０５
に対するレールの傾き角度を確実に調整することができる。尚、第２先端部１１ｃは、長
さが２ｍｍ以上１２ｍｍ以下であることが好ましい。第２先端部１１ｃの長さを２ｍｍ以
上とすることにより、レール１１３を両側の先端部１１ｂ、１１ｃで確実に保持すること
ができる。
【００８２】
また、第１先端部１１ｂの先端面１１ｄからスリット１１ａの最奥部１１ｅまでの長さ
Ｌ１がレール１１３の幅ＷＲ未満であるので、スリット１１ａを最奥部１１ｅまでレール
１１３に外嵌しても本体１０の先端面１１ｄが遊技盤１０５表面に到達することがなく、
遊技盤１０５を誤って傷つけることを防止することができる。
【００８３】
また、スリット１１ａの深さ（第２先端部１１ｃの長さ）がレール１１３の幅ＷＲの半
分以上であるので、スリット１１ａを最奥部１１ｅまでレール１１３に外嵌することによ
りレール１１３を確実に保持することができ、本体１０をレール１１３の内側又は外側へ
倒すことにより、遊技盤１０５に対するレール１１３の傾き角度を確実に調整することが
できる。
【００８４】
また、本体１０が断面矩形状の棒状体であるので、スリット１１ａを挟んで対向する両
側の先端部１１ｂ、１１ｃがレール１１３近傍の部材との干渉が少ない薄板状となり、ス
リット１１ａを容易にレール１１３に外嵌することができる。特に、スリット１１ａを挟
んで対向する両側の先端部１１ｂ、１１ｃは、厚みが５ｍｍ以下であるので、レール１１
３近傍の部材との干渉が少なく、スリット１１ａを容易にレール１１３に外嵌することが
できる。さらに、第１先端部１１ｂは、厚みが３ｍｍ以下であるので、例えば、遊技盤１
０５上のレール１１３の外側に近接して電飾等の役物が配置されている場合でも、厚みが
３ｍｍ以下の先端部１１ｂをレール１１３の外側に向けることにより、本体先端部１１と
役物とが干渉することなくスリット１１ａを外レール１１３に外嵌することができる。
【００８５】
また、スリット１１ａの幅ＷＳは、レール１１３の厚みＴＲよりも０．３ｍｍ大きく設
定されているので、スリット１１ａをレール１１３に外嵌した場合にスリット１１ａ内壁
とレール１１３との間に０．３ｍｍの遊びが確保され、略円弧状をなすように遊技盤１０
５に取付けられたレール１１３にスリット１１ａを円滑に外嵌することができると共に、
スリット１１ａ内壁によってレールが傷つくことを防止することができる。尚、スリット
１１ａの幅ＷＳは、レール１１３の厚みＴＲよりも０．２ｍｍ以上０．６ｍｍ以下の所定
値以上に設定されることが好ましい。
【００８６】
また、本体１０が、剛性に優れたステンレス鋼からなるので、スリット１１ａ内壁でレ
ール１１３を保持して本体１０をレール１１３の内側又は外側へ倒すことにより、遊技盤
１０５に対するレール１１３の傾き角度を確実に調整することができると共に、耐食性に
も優れているの、錆等でレール１１３を傷つけたり汚すことがなく、長期に亘る使用も可
能である。
【００８７】
また、本体１０の基端側に手で把持するための取っ手２０が設けられているので、作業
者は取っ手２０を把持してレール１１３の傾き角度を調整する作業を容易に行うことがで
きる。特に、取っ手２０の基端部が丸みを帯びた形状に形成されているので、作業者は取
っ手２０を容易に把持することができる。また、本体１０の先端部１１が取っ手２０と同
一直線上に設けられているので、レール１１３の外側又は内側のいずれの方向へ倒す場合
にも、向きを気にすることなく取っ手２０を把持して作業することができる。尚、取っ手
２０が合成樹脂によって構成されているので、手で把持しやすい形状及び大きさに容易に
形成可能であり且つ軽量とすることができる。
【００８８】
尚、本発明は上述した実施の形態に限定されるものではなく、本発明の主旨を逸脱しな
い範囲で種々の変更を施すことが可能である。以下、上記実施形態の各変形例について説
明する。尚、上記実施形態における各部材と同一の部材には同一の符号を付し、それらに
ついての詳細な説明を省略する。
【００８９】
上記実施形態では、第２先端部１１ｃを第１先端部１１ｂよりも短く構成したが、第一
変形例では、図９に示すように、第２先端部１１ｃを第１先端部１１ｂと同一の長さにす
ると共に、第２先端部１１ｃの先端中央にＵ字状の切り欠き１１ｇを設けている。図９（
ａ）は第一変形例における本体１０の先端部１１を拡大して示す側面図であり、（ｂ）は
（ａ）におけるＡ３線矢視図である。本変形例によれば、レールピン１１４が取付けられ
た箇所でスリット１１ａをレール１１３に外嵌する際に、本体１０の先端部１１中央をレ
ールピン１１４の位置に合わせることにより、スリット１１ａ内壁とレールピン１１４と
の干渉が確実に回避されると共に、スリット１１ａを挟む両側の先端部１１ｂ、１１ｃの
長さが同一であるのでスリット１１ａ内壁でより確実にレール１１３を保持することがで
きる。
【００９０】
また、第二変形例は、図１０に示すように、第一変形例の構成において第１先端部１１
ｂ及び第２先端部１１ｃの先端にそれぞれゴム等の弾性体１１ｒを設ける構成としたもの
である。本変形例によれば、先端部１１を遊技盤１０５の表面に当接させても、遊技盤１
０５を傷付けることがない。尚、図１０（ａ）は第二変形例における本体１０の先端部１
１を拡大して示す側面図であり、（ｂ）は（ａ）におけるＡ４線矢視図である。
【００９１】
また、上記実施形態では、取っ手２０の基端部を、丸みを帯びた形状としたが、第三変
形例では、図１１に示すように、基端側の外周に径方向へ突出する４個の突出部２１が十
字状に設けられ且つ端面が平坦状に形成されている。本変形例によれば、作業台上で調整
具を起立させることができると共に、転がりを防止することができる。尚、図１１（ａ）
は第三変形例における取っ手２０を示す側面図であり、（ｂ）は（ａ）におけるＡ５線矢
視図であり、（ｃ）は作業台上に起立させた様子を示す図である。
【００９２】
また、上記実施形態では、本体１０を取っ手２０に対して同一直線上となるように構成
したが、第四変形例では、図１２に示すように、本体１０を取付部１２近傍で略への字状
に折曲げて、先端部１１が取っ手２０に対して所定角度で傾斜する構成としたものである
。本変形例によれば本体１０の先端部１１が取っ手２０に対して所定角度で傾斜して設け
られているので、スリット１１ａをレールを外嵌してレール１１３の外側又は内側へ倒す
作業をより容易に行うことができる。尚、図１２（ａ）は第四変形例のレール角度調整具
１を示す側面図であり、（ｂ）は本体先端部１１のスリット１１ａをレール１１３に外嵌
した状態を示す側面図である。
【００９３】
また、レール１１３において遊技盤１０５上の役物等との隙間が小さい部分の傾き角度
を調整する際に使用するのに好適な構成として、図１３に示す第四実施例のように、第２
先端部１１ｃの長さがレール１１３上端を係止可能な範囲でより短く（例えば、２ｍｍ以
上５ｍｍ以下）設定され且つ厚みが強度を確保可能な範囲でより肉薄に設定された構成と
してもよい。第２先端部１１ｃは、長さが５ｍｍ以下であるので、遊技盤１５においてレ
ール１１３が外側の壁部や役物に近接している場合に、第２先端部１１ｃを外側となるよ
うにしてスリット１１ａをレールに外嵌することにより、役物等との干渉を回避すること
ができる。また、第２先端部１１ｃは、長さが２ｍｍ以上であるので、レール１１３を両
側の先端部１１ｂ、１１ｃで確実に保持することができる。
【００９４】
さらに、上記実施形態では、本体１０の取付部１２を取っ手２０の取付け孔２０ａに挿
入して接着固定する構成としたが、本体１０を取っ手２０に対して着脱自在な構成とし、
種々の形状の本体１０を交換して使用するようにしてもよい。例えば、本体１０の取付部
１２を取付け孔２０ａに嵌合により取付け可能とすると共に、先端部１１の形状や角度の
異なる複数種類の本体１０を用意しておき、傾き角度を調整したいレール１１３の部位に
応じて本体１０を交換して用いることにより作業性を向上させることができる。
【産業上の利用可能性】
【００９５】
本発明はパチンコ機の遊技盤に固定されたレールの傾き角度を容易且つ確実に調整する
ことが必要な場合に適用することができる。
【符号の説明】
【００９６】
１    パチンコ機用レール角度調整具
１０    本体
１１    先端部
１１ａ  スリット
１１ｂ  第１先端部
１１ｃ  第２先端部
１１ｅ  最奥部
２０    取っ手
２１    突出部
１１２    内レール
１１３    外レール（レール）
１１４    レールピン
【図１】
0005510532.tif 000002
【図２】
0005510532.tif 000003
【図３】
0005510532.tif 000004
【図４】
0005510532.tif 000005
【図５】
0005510532.tif 000006
【図６】
0005510532.tif 000007
【図７】
0005510532.tif 000008
【図８】
0005510532.tif 000009
【図９】
0005510532.tif 000010
【図１０】
0005510532.tif 000011
【図１１】
0005510532.tif 000012
【図１２】
0005510532.tif 000013
【図１３】
0005510532.tif 000014
【図１４】
0005510532.tif 000015
【図１５】
0005510532.tif 000016
【図１６】
0005510532.tif 000017